(57)【要約】【課題】セキュリティの向上を図った家具連携型入退室管理システムの提供。【解決手段】入室または退室に用いる部屋扉９を有する部屋１、部屋の内部に設置され収納物品を取り出す家具扉１０を有する家具２、部屋または家具に取り付けられ、個人を特定する情報を入力した際に、予め登録した個人であるか否かを識別する個人認証装置（４〜６）、部屋扉または家具扉の施錠または解錠する施解錠装置（７Ａ、７Ｂ）、部屋扉または家具扉の開状態または閉状態を識別する開閉センサ８Ａ、８Ｂから構成されるシステムにおいて、家具が収納する収納物品（１３）の有りまたは無しを識別する物品識別手段（１２、１４）と、物品識別手段、個人認証装置、および開閉センサが出力する情報に基づき施解錠装置を制御するコントローラ３とを設け、部屋に出入する人の情報と家具に収納される物品の出入りの情報を連携するようになっている。【選択図】図１
2007226454.tif 000002
【特許請求の範囲】
【請求項１】
入室または退室に用いる少なくとも１つの部屋扉を有する部屋と、この部屋の内部に設置され収納物品を取り出す家具扉を有する家具と、前記部屋または前記家具に取り付けられ、個人を特定する情報を入力した際に、予め登録した個人であるか否かを識別する個人認証装置と、前記部屋扉または前記家具扉を施錠または解錠する施解錠装置と、前記部屋扉または前記家具扉の開状態または閉状態を識別する開閉センサとを有するシステムにおいて、
前記家具が収納する前記収納物品の有無を識別する物品識別手段と、この物品識別手段、前記個人認証装置、および前記開閉センサが出力する情報に基づき前記施解錠装置を制御するコントローラとを設けたことを特徴とする家具連携型入退室管理システム。
【請求項２】
前記コントローラは、前記家具扉の開閉センサが開状態と識別しているときに、すべての前記部屋扉および前記家具扉を施錠状態にする警戒モードへの設定操作がなされると、家具扉の閉め忘れがあると判断して警告を発することを特徴とする請求項１記載の家具連携型入退室管理システム。
【請求項３】
前記コントローラは、前記物品識別手段が収納物品無しと識別しているときに、前記部屋扉の前記施解錠装置の解錠操作がなされると、収納物品の不正な持出があると判断して警告を発することを特徴とする請求項１記載の家具連携型入退室管理システム。
【請求項４】
前記コントローラは、前記物品識別手段が収納物品無しと識別しているときに、前記家具扉の前記施解錠装置の施錠操作がなされると、物品の収納忘れがあると判断して警告を発することを特徴とする請求項１記載の家具連携型入退室管理システム。
【発明の詳細な説明】
【技術分野】
【０００１】
本発明は、部屋と家具の扉の施錠および解錠を制御してセキュリティを確保する家具連携型入退室管理システムに関する。
【背景技術】
【０００２】
この種の従来技術として、家具の施錠を一斉に行なうことができるシステム（例えば、特許文献１、２及び３参照）、あるいは部屋扉の開閉により全ての施錠箇所の施解錠が行なえるシステムが知られている（例えば、特許文献４参照）。
【特許文献１】特開２００４−２５０９５４号公報（段落００２１、図１）
【特許文献２】特開平９−１７７４０３号公報（段落００１９、図６）
【特許文献３】特開平５−３２１５２２号公報（段落０００９、図１）
【特許文献４】特開平１０−１０２８４８号公報（段落００１５、図２）
【発明の開示】
【発明が解決しようとする課題】
【０００３】
しかしながら、前述した従来の技術では家具扉と部屋扉の施解錠は独立して制御されていたため、部屋に出入する人の情報と家具に収納される物品の出入りに関する情報が連携しておらず、高度なセキュリティを確保することが難しいという問題があった。
【０００４】
本発明は、前述した従来技術における実状からなされたもので、その目的は、セキュリティの向上を図ることのできる家具連携型入退室管理システムを提供することにある。
【課題を解決するための手段】
【０００５】
前記目的を達成するために、本発明の請求項１に係る発明は、入室または退室に用いる少なくとも１つの部屋扉を有する部屋と、この部屋の内部に設置され収納物品を取り出す家具扉を有する家具と、前記部屋または前記家具に取り付けられ、個人を特定する情報を入力した際に、予め登録した個人であるか否かを識別する個人認証装置と、前記部屋扉または前記家具扉を施錠または解錠する施解錠装置と、前記部屋扉または前記家具扉の開状態または閉状態を識別する開閉センサとを有するシステムにおいて、前記家具が収納する前記収納物品の有無を識別する物品識別手段と、この物品識別手段、前記個人認証装置、および前記開閉センサが出力する情報に基づき前記施解錠装置を制御するコントローラとを設けたことを特徴としている。
【０００６】
このように構成した本発明の請求項１に係る発明は、部屋に出入する人の情報と家具に収納される物品の出入りに関する情報を連携することにより高度なレベルのセキュリティが確保できる。
【０００７】
また、本発明の請求項２に係る発明は、前記コントローラは、前記家具扉の開閉センサが開状態と識別しているときに、すべての前記部屋扉および前記家具扉を施錠状態にする警戒モードへの設定操作がなされると、家具扉の閉め忘れがあると判断して警告を発することを特徴としている。
【０００８】
このように構成した本発明の請求項２に係る発明は、家具扉の閉め忘れを検知することによりセキュリティの向上を図ることができる。
【０００９】
さらに、本発明の請求項３に係る発明は、前記コントローラは、前記物品識別手段が収納物品無しと識別しているときに、前記部屋扉の前記施解錠装置の解錠操作がなされると、収納物品の不正な持出があると判断して警告を発することを特徴としている。
【００１０】
このように構成した本発明の請求項３に係る発明は、物品の不正な持出を検知することによりセキュリティの向上を図ることができる。
【００１１】
また、本発明の請求項４に係る発明は、前記コントローラは、前記物品識別手段が収納物品無しと識別しているときに、前記家具扉の前記施解錠装置の施錠操作がなされると、物品の収納忘れがあると判断して警告を発することを特徴としている。
【００１２】
このように構成した本発明の請求項４に係る発明は、物品の収納忘れを検知することによりセキュリティの向上を図ることができる。
【発明の効果】
【００１３】
本発明によれば、部屋に出入する人の情報と家具に収納される物品の出入りの情報を連携し、家具扉の閉め忘れの検知、物品の不正な持出の検知、および物品の収納忘れの検知を行うことによりセキュリティの向上を図ることができる。
【発明を実施するための最良の形態】
【００１４】
以下、本発明に係る家具連携型入退室管理システムの実施の形態を図に基づいて説明する。
【００１５】
図１は本発明の家具連携型入退室管理システムの一実施形態を示す概略構成図、図２は家具連携型入退室管理システムの要部構成を示す詳細図、図３は家具連携型入退室管理システムが判断する情報を説明する説明図、図４は家具連携型入退室管理システムの処理手順を示すフローチャート、図５は家具連携型入退室管理システムの状態定義を示す説明図である。
【００１６】
本実施形態は図１に示すように、建物内部にある部屋１の中に例えばファイルキャビネットから成る家具２が設置され、この部屋１および家具２の施解錠はコントローラ３により制御されている。そして、このコントローラ３に接続されているのは、部屋１の室外側に設置され後述するＩＣカードを読み込むための室外側カードリーダ４、室内側に設置され後述するＩＣカードを読み込むための室内側カードリーダ５、家具２に設置され後述するＩＣカードを読み込むための家具扉カードリーダ６、部屋１および家具２の後述する扉を電気信号の指示により施錠および解錠する電気錠７Ａ、７Ｂ、そして、部屋１および家具２の扉の開閉状態を識別する開閉センサ８Ａ、８Ｂである。さらに、部屋１には部屋扉９が設けられているとともに、家具２には家具扉１０が設けられており、これらの扉９、１０が施解錠を制御する対象である。ＩＣカード１１はカードリーダ４〜６によって個人を認証するためのものである。なお、本発明はこれに限らず無線タグやバーコードなどの個体識別が可能なもの、あるいは指紋や静脈パターン等の生体情報を用いるものでも良い。ＩＣタグ１２は家具２の中に収納する物品を管理するためのものである。しかし、ＩＣカード１１と必ずしも区別する必要はなく、同じものであっても構わない。ＩＣタグ１２は家具２の収納物、即ち、文書ファイル１３の表面に貼付して用いる。タグリーダ１４は家具に取り付けられ、近接するＩＣタグ１２の識別情報を読み取り、この識別情報をコントローラ３へ出力する。即ち、いまタグリーダ１４のある場所に文書ファイル１３が収納されているのか否か、さらにどの文書ファイル１３が収納されているかを識別する。
【００１７】
なお、前述した部屋１または家具２に取り付けられ、個人を特定する情報を入力した際に、予め登録した個人であるか否かを識別する個人認証装置は、例えばカードリーダ４〜６から成っている。また、部屋扉９または家具扉１０を施錠または解錠する施解錠装置は、例えば電気錠７Ａ、７Ｂから成っている。さらに、家具２が収納する収納物品、即ち文書ファイル１３の有無を識別する物品識別手段は、例えばＩＣタグ１２およびタグリーダ１４から成っている。
【００１８】
また、コントローラ３は例えば１日分の動作履歴だけを保持するが、それ以上の長期間の動作履歴情報は通信回線を使用して、履歴データ１５として、遠隔に設置する管理センタ１６のサーバ上に保管する。履歴データ１５は管理センタ１６で記録することにより、たとえコントローラ３が破壊された場合にも、管理センタ１６のデータに被害は及ばないので、不正なアクセスがあったか否かといった分析が可能となる。
【００１９】
さらに、管理センタ１６はコントローラ３が異常信号を発信してきたときに、携帯電話やパソコンなどから成る通信端末１７に対して、メールや電話あるいはテレビ電話などで通報する。例えば、施錠状態であるのに、開閉センサ８Ｂが家具扉１０の開いたことを検知した場合には、家具扉１０のこじ開けなどの不正な操作が行なわれた可能性がある。このように通信端末１７に通報することにより、部屋１や家具２の管理者などへ、異常事態を即座に知らせることができる。
【００２０】
また、例えば室内側カードリーダ４は図２に示すように、液晶ディスプレイのように文字や図形を表示可能なディスプレイ４１と、部屋１と家具２のすべての扉９、１０を施錠して警戒モードにするための警戒ボタン４２と、警戒モードを解除するための解除ボタン４３と、ＩＣカード１１をかざす部分のＩＣカード読み取り部４４とから構成される。同図の例は、部屋１の最終退室者が施錠のために、ＩＣカード１１をかざし、警戒ボタン４２を押したときの状態である。このとき、家具２の開閉センサ８Ｂは家具扉１０が開いていることを検知し、コントローラ３が「＜警告＞家具扉１０が開いています。締めてください。」というメッセージを出力している。
【００２１】
また、前述のコントーラ３には図３に示すように、イベントが発生した時刻、部屋扉９の施錠状態と開閉状態、室外側カードリーダ４が認証したＩＣカード１１の番号、室内側カードリーダ５が認証したＩＣカード１１の番号、家具扉１０の施錠状態と開閉状態、家具側カードリーダ６が認証したＩＣカード１１の番号、および文書ファイル１３の収納状態が保持される。同図の例は、時刻８：００では部屋扉９と家具扉１０が、いずれも施錠状態で閉じており、各カードリーダ４〜６には入力がなく（ＮＡは該当なしを意味する）、文書ファイル１３は収納された状態であることを示している。次に８：５０には、０１２３の識別番号を持つＩＣカード１１を室外側カードリーダ４が認証して、部屋扉９は解錠され、部屋扉９が開けられたということが記録されている。その次の８：５１には、部屋扉９は再び施錠されて閉じた状態となり、０１２３番のＩＣカード１１を家具扉カードリーダ６が認証して、今度は家具扉１０が解錠されて開いた状態となり、さらに文書ファイル１３は持ち出された状態となっていることを示している。
【００２２】
時間が経過して、１７：２０には、室内側カードリーダ５が０１２３番のＩＣカード１１を認証して、部屋扉９は解錠され、部屋扉９が開けられている。ここでもし、文書ファイル１３が持出禁止のものであれば、コントローラ３が部屋扉９の解錠を阻止するように設定することも可能である。そして、１７：２１には室外側カードリーダ４でＩＣカード１１が認証され、さらに警戒ボタン４２が押されて、すべての扉９、１０を施錠した状態となっていることを示している。
【００２３】
このように構成された家具連携型入退室管理システムは図４に示すように、手順Ｓ１の「警戒」の状態から矢印の示す方向へ遷移する。まず室外側カードリーダ４が例えば０１２３番のＩＣカード１１を認証し、解除ボタン４３が押されると、手順Ｓ２に示す「入室」の状態となる。この状態から何もせずに退室した場合、室内側カードリーダ５はＩＣカード１１を認証し、手順Ｓ８に示す「退室」の状態となる。一方、家具扉カードリーダ６がＩＣカード１１を認証すると、手順Ｓ３として「家具解錠」の状態となる。この後、文書ファイル１３が持ち出された状態で家具扉１０の施錠が試みられると、手順Ｓ４に示す「ファイル収納忘れ」の状態となり、文書ファイル１３の収納忘れを検知する。
【００２４】
また、家具扉１０が開いた状態で、警戒ボタン４２が操作されてすべての部屋扉９および家具扉１０を施錠状態にする警戒モードの設定が試みられると、手順Ｓ５に示す「家具扉閉め忘れ」の状態となり、家具扉１０の閉め忘れが検知される。手順Ｓ３、手順Ｓ４および手順Ｓ５のいずれの状態から家具扉１０が閉められると、手順Ｓ６として「家具施錠」の状態に遷移する。また、文書ファイル１３の持ち出し状態が維持され、かつ部屋１からの退室が試みられると、手順７に示すように「ファイル不正持出」の状態となり、文書ファイル１３の不正持ち出しが検知される。この「ファイル不正持出」検知の際には先述のように部屋扉９の開錠を阻止し、退室を認めない設定も可能である。そして、退室のために室内側カードリーダ５によるＩＣカード１１の認証が行われると、手順Ｓ８として０１２３番のＩＣカード１１を有する利用者は「退室」の状態となる。最後に室外側カードリーダ４にてＩＣカード１１を認証させ、警戒ボタン４２を押すことにより、再び手順Ｓ１の状態に戻ることとなる。
【００２５】
また、前述した手順Ｓ１〜手順Ｓ８までの状態については図５に示すように、カードリーダ４〜６に備えられるディスプレイに表示されるとともに、通信回線を介して管理センタ１６へ送信される。状態の内容については図４に示すものと同様であるので説明は省略するが、ディスプレイ内容は状態をコンパクトに表示できるようにしたものである。送信内容については、この例では異常事態の検知時のみ管理センタ１６に送信するよう設定されている。すなわち、手順Ｓ４のファイル収納忘れ、手順Ｓ５の家具扉閉め忘れ、および手順Ｓ７のファイル不正持出が検知されると図５に示すメッセージが管理センタ１６に送られる。なお、ＮＡは該当なしの意味でいずれの情報も送信されることがない。さらに、管理センタ１６は異常事態のメッセージを受け取ると、通信端末１７にこのメッセージを転送することも可能であり、これによって部屋１の管理者の携帯電話、或いはパソコン等へ異常事態のあったことを即座に連絡することができる。
【００２６】
本実施形態によれば、部屋１に出入する人の情報と家具２に収納されるファイル１３の出入りの情報とを連携させることによりセキュリティの向上を図ることができる。即ち、家具扉１０の閉め忘れ、文書ファイル１３の不正な持ち出し、および文書ファイル１３の収納忘れを検知することにより、セキュリティの向上を図ることができる。
【図面の簡単な説明】
【００２７】
【図１】本発明の家具連携型入退室管理システムの一実施形態を示す概略構成図である。
【図２】家具連携型入退室管理システムの要部構成を示す詳細図である。
【図３】家具連携型入退室管理システムが判断する情報を説明する説明図である。
【図４】家具連携型入退室管理システムの処理手順を示すフローチャートである。
【図５】家具連携型入退室管理システムの状態定義を示す説明図である。
【符号の説明】
【００２８】
１         部屋
２         家具
３         コントローラ
４         室外側カードリーダ
５         室内側カードリーダ
６         家具扉カードリーダ
７Ａ、７Ｂ         電気錠
８Ａ、８Ｂ         開閉センサ
９         部屋扉
１０              家具扉
１１              ＩＣカード
１２              ＩＣタグ
１３              文書ファイル
１４        タグリーダ
１５              履歴データ
１６              管理センタ
１７              通信端末
【図１】
2007226454.tif 000003
【図２】
2007226454.tif 000004
【図３】
2007226454.tif 000005
【図４】
2007226454.tif 000006
【図５】
2007226454.tif 000007